(57)【要約】【課題】  外出時に忘れずに携帯することが可能であり、いつでもペットボトル飲料の蓋を開けることを可能とする携帯電子機器用飲料容器オープナーを提供すること。【解決手段】  携帯電子機器に対して固定するためのベース板と、ベース板に一体的に形成された複数の突起と、ヒンジを介して、ベース板の面に対して傾斜自在に軸支された環状体とを備え、複数の突起は、内側面が同一円周上にあり、環状体をベース板に対して水平な位置とした状態において、複数の突起のうちの少なくとも１つの突起の内側面又は外側面と、環状体の内周面又は外周面とが、一定の隙間を形成するように配置されている携帯電子機器用飲料容器オープナー。【選択図】  図１
2019116297.tif 000002
【特許請求の範囲】
【請求項１】
携帯電子機器に対して固定するためのベース板と、
前記ベース板に一体的に形成された複数の突起と、
ヒンジを介して、前記ベース板の面に対して傾斜自在に軸支された環状体とを備え、
前記複数の突起は、内側面が同一円周上にあり、
前記環状体を前記ベース板に対して水平な位置とした状態において、前記複数の突起のうちの少なくとも１つの突起の内側面又は外側面と、前記環状体の内周面又は外周面とが、一定の隙間を形成するように配置されていることを特徴とする携帯電子機器用飲料容器オープナー。
【請求項２】
前記隙間の形状が平面視で波形あることを特徴とする請求項１に記載の携帯電子機器用飲料容器オープナー。
【請求項３】
前記環状体を前記ベース板に対して水平な位置とした状態において、前記複数の突起のうちの少なくとも１つの突起が前記環状体の外側に配置されていることを特徴とする請求項１又は２に記載の携帯電子機器用飲料容器オープナー。
【請求項４】
前記ヒンジは、前記ベース板に水平回動可能に設けられた回転軸に結合されていることを特徴とする請求項１〜３のいずれか１に記載の携帯電子機器用飲料容器オープナー。
【請求項５】
前記環状体を前記ベース板に対して水平な位置とした状態において、前記複数の突起のうちの少なくとも２つの突起が前記環状体の外側に配置されていることを特徴とする請求項４に記載の携帯電子機器用飲料容器オープナー。
【請求項６】
前記環状体を前記ベース板に対して水平な位置とした状態において、前記複数の突起の全てが前記環状体の内側に配置されていることを特徴とする請求項１、２、又は、４に記載の携帯電子機器用飲料容器オープナー。
【請求項７】
前記環状体を前記ベース板に対して水平な位置とした状態において、前記複数の突起の全てが前記環状体の外側に配置されていることを特徴とする請求項１〜５のいずれか１に記載の携帯電子機器用飲料容器オープナー。
【請求項８】
前記複数の突起のうちの少なくとも１つの突起は、前記ベース板から上側に連続的に形成された立ち上がり部と、前記立ち上がり部の上部から水平かつ外側方向に伸びる横突出部とを有しており、
前記環状体を前記ベース板に対して水平な位置とした状態において、前記環状体の一部が、平面視で、上部に前記横突出部が重なる位置に配置されており、
前記一定の隙間は、前記環状体を前記ベース板に対して水平な位置とした状態において、前記突起の前記の立ち上がり部の外側面と前記環状体の一部の内周面との間部分であることを特徴とする請求項１、３〜６のいずれか１に記載の携帯電子機器用飲料容器オープナー。
【発明の詳細な説明】
【技術分野】
【０００１】
本発明は、携帯電子機器用飲料容器オープナーに関する。
【背景技術】
【０００２】
近年、ペットボトル飲料は、コンビニエンスストア、スーパーマーケット、自動販売機等で手軽に入手することができ、外出先でも気軽に喉を潤すことができる。
【０００３】
しかしながら、ペットボトル飲料は、蓋を開ける際にある程度の力を要する。そのため、指先の力の弱い子供、高齢者、病を患われている人等は、開けることが困難な場合がある。
【０００４】
そこで、従来、ペットボトル飲料の蓋の大きさに対応した円孔部とその一端に形成された把持部とを有する飲料容器用オープナーが提案されている（特許文献１参照）。この飲料容器用オープナーは、円孔部に蓋を挿入し、把持部を持って回転させることにより大きな力を加えることができ、蓋を開けることを可能とするものである。
【先行技術文献】
【特許文献】
【０００５】
【特許文献１】特開２０１２−８１９７５号公報
【発明の概要】
【発明が解決しようとする課題】
【０００６】
ところが、特許文献１の飲料容器用オープナーでは、外出時に携帯するのを忘れる場合があるといった問題がある。例えば、自宅で使用した後、外出時に自宅に置き忘れることがある。また、前回とは異なる鞄を持って外出した場合に、移し忘れる場合がある。
【０００７】
本発明は上述した課題に鑑みてなされたものであり、その目的は、外出時に忘れずに携帯することが可能であり、いつでもペットボトル飲料の蓋を開けることを可能とする携帯電子機器用飲料容器オープナーを提供することにある。
【課題を解決するための手段】
【０００８】
以上のような目的を達成するために、本発明は、以下のようなものを提供する。
すなわち、本発明に係る携帯電子機器用飲料容器オープナーは、
携帯電子機器に対して固定するためのベース板と、
前記ベース板に一体的に形成された複数の突起と、
ヒンジを介して、前記ベース板の面に対して傾斜自在に軸支された環状体とを備え、
前記複数の突起は、内側面が同一円周上にあり、
前記環状体を前記ベース板に対して水平な位置とした状態において、前記複数の突起のうちの少なくとも１つの突起の内側面又は外側面と、前記環状体の内周面又は外周面とが、一定の隙間を形成するように配置されていることを特徴とする。
【０００９】
前記構成によれば、複数の突起の内側面が同一円周上にある。従って、複数の突起の内側面を繋いで形成される円を、ペットボトル飲料の蓋の外径に対応する形とすれば、前記複数の突起部分にペットボトル飲料の蓋をはめ込み、携帯電子機器（例えば、携帯電話）とともに回転させれば、てこの原理により大きな力を発生させてペットボトル飲料の蓋を容易に開けることが可能となる。
また、前記携帯電子機器用飲料容器オープナーは、携帯電子機器に対して固定するためのベース板を有しており、携帯電子機器に固定されて使用される。携帯電子機器（特に、携帯電話）を外出時に携帯し忘れることは比較的稀であるため、前記携帯電子機器用飲料容器オープナーを携帯電子機器に固定しておけば、外出時に携帯し忘れることを防止することができる。
また、携帯電子機器は、外出時はポケット（例えば、胸ポケット、カバン内ポケット）等の衣服の取り出しやすい箇所に入れる場合が多い。そこで、前記携帯電子機器用飲料容器オープナーによれば、環状体を備えており、環状体を前記ベース板に対して水平な位置とした状態において、前記複数の突起のうちの少なくとも１つの突起の内側面又は外側面と、前記環状体の内周面又は外周面とが、一定の隙間を形成するように配置されているため、前記隙間部分に衣服の布を挟むようにすれば、ポケット等から落下することを抑制することができる。なお、オープナーとして使用しない時には、突起は、布への固定具の一部となるため、オープナーの機能を得るためだけに突起を設けることに比較して利便性に優れる。
このように、前記構成の帯電子機器用飲料容器オープナーによれば、外出時に忘れずに携帯することが可能であり、いつでもペットボトル飲料の蓋を容易に開けることが可能となり、さらに、落下を防止することもできる。
【００１０】
前記構成においては、前記隙間の形状が平面視で波形であることが好ましい。
【００１１】
前記隙間の形状が平面視で波形であると、携帯時に前記隙間部分に衣服の布を挟む場合に、布との摩擦力を増大させることができる。その結果、布から外れて落下することをより好適に抑制することが可能となる。
なお、本明細書において、「隙間の形状が平面視で波形」とは、「突起の内側面又は外側面」と、「環状体の内周面又は外周面」とのうち、少なくとも、一方の面について、平面視での形状が波形であればよい。ただし、好ましいのは、「突起の内側面又は外側面」と、「環状体の内周面又は外周面」との両方の面について、平面視での形状が波形であることである。具体的には、後に図１で説明するように、突起１４ｃの外側面１６ｃと環状体２０の内周面３４との両方が波形であることが好ましい。
【００１２】
前記構成においては、前記環状体を前記ベース板に対して水平な位置とした状態において、前記複数の突起のうちの少なくとも１つの突起が前記環状体の外側に配置されていることが好ましい。
【００１３】
ペットボトル飲料の蓋の外径は予め定められているため、複数の突起の位置はある程度制約を受ける。具体的に、複数の突起の内側面が、ペットボトル飲料の蓋の外径に対応する箇所にくるように突起を配置しなければならない。そのため、仮に、突起が、複数の突起ではなく、複数に分割されていない単一の円環状の突起であるならば、前記環状体は、ペットボトル飲料の蓋の外径よりも大きい形状としなければ、突起と干渉して折り畳めなくなる（環状体をベース板に対して水平な位置に配置できなくなる）。そこで、前記構成では、突起が複数の突起に分割されているという前提で、複数の突起のうちの少なくとも１つの突起が前記環状体の外側に配置されている。すなわち、突起が複数に分割されているため、突起が存在していれば環状体と干渉する部分に突起が配置されないように突起を配置しつつ、前記環状体の一部が複数の突起の内側面を繋いで形成される円よりも内側に配置されるような形状とすることができる。このような構成とすることにより、前記環状体の大きさをなるべく小さくすることが可能となり、ベース板からの突出部分の面積をなるべく小さくすることが可能となる。
【００１４】
前記構成において、前記ヒンジは、前記ベース板に水平回動可能に設けられた回転軸に結合されていることが好ましい。
【００１５】
前記ヒンジが前記ベース板に水平回動可能に設けられた回転軸に結合されていれば、前記環状体は、前記ベース板に対して水平回動でき、かつ、水平回動させたその位置でベース面に対して傾斜させることができる。従って、携帯電子機器を好みの角度で支えるスタンドとして使用することが可能となる。
また、環状体が前記ベース板に対して水平回動でき、かつ、ベース面に対して傾斜させることができ、環状体内の環部分を好みの方向に向けることができる。従って、環状体を好みの位置に配置させた上で、環部分に指（例えば、人指し指、中指、薬指、小指等）を通し、携帯電子機器を把持することが可能となる。その結果、携帯電子機器の操作時に落下させてしまうことを防止できる。
【００１６】
前記構成においては、前記環状体を前記ベース板に対して水平な位置とした状態において、前記複数の突起のうちの少なくとも２つの突起が前記環状体の外側に配置されていることが好ましい。
【００１７】
前記ヒンジが前記ベース板に水平回動可能に設けられた回転軸に結合されている場合、前記隙間部分に衣服の布を挟むようにして携帯電子機器を携帯していると、水平回動により、挟み込みが甘くなってしまうおそれがある。そこで、前記環状体を前記ベース板に対して水平な位置とした状態において、前記複数の突起のうちの少なくとも２つの突起が前記環状体の外側に配置されていると、当該突起が環状体の水平回動に干渉することになる。その結果、前記隙間部分での挟み込みが甘くなることを抑制することができる。
【００１８】
前記構成においては、前記環状体を前記ベース板に対して水平な位置とした状態において、前記複数の突起の全てが前記環状体の内側に配置されていることも好ましい。
【００１９】
前記環状体を前記ベース板に対して水平な位置とした状態において、前記複数の突起の全てが前記環状体の内側に配置されていれば、前記環状体を折り畳んだままの状態でオープナーとして使用することができる。
【００２０】
前記構成においては、前記環状体を前記ベース板に対して水平な位置とした状態において、前記複数の突起の全てが前記環状体の外側に配置されていることも好ましい。
【００２１】
前記環状体を前記ベース板に対して水平な位置とした状態において、前記複数の突起の全てが前記環状体の外側に配置されていれば、前記環状体の内径を小さくすることができ、これにより、指の細い子供などが好適に使用することが可能となる。
【００２２】
前記構成において、前記複数の突起のうちの少なくとも１つの突起は、前記ベース板から上側に連続的に形成された立ち上がり部と、前記立ち上がり部の上部から水平かつ外側方向に伸びる横突出部とを有しており、
前記環状体を前記ベース板に対して水平な位置とした状態において、前記環状体の一部が、平面視で、上部に前記横突出部が重なる位置に配置されており、
前記一定の隙間は、前記環状体を前記ベース板に対して水平な位置とした状態において、前記突起の前記立ち上がり部の外側面と前記環状体の一部の内周面との間部分であることも好ましい。
【００２３】
前記構成によれば、立ち上がり部の外側面と環状体の一部の内周面との隙間部分に胸ポケットの布を挟むことができる。これにより、胸ポケットから携帯電子機器が落下することを抑制することができる。
具体的に、環状体をベース板に対して傾斜させる際には、指等で環状体を持ち上げると、横突出部の外側面が環状体の内周面により押されて、立ち上がり部が内側方向に傾き、これにより、係止を外すことができる。一方、傾斜状態の環状体をベース板に対して水平にさせる際には、指等で環状体をベース板に対して押し付けると、横突出部の外側面が環状体の内周面により押されて、立ち上がり部が内側方向に傾き、これにより、横突出部の下部に環状体が配置され、係止されることになる。
【発明の効果】
【００２４】
本発明によれば、外出時に忘れずに携帯することが可能であり、いつでもペットボトル飲料の蓋を容易に開けることを可能とする携帯電子機器用飲料容器オープナーを提供することができる。
【図面の簡単な説明】
【００２５】
【図１】第１実施形態に係る携帯電子機器用飲料容器オープナーを模式的に示す平面図である。
【図２】図１に示した携帯電子機器用飲料容器オープナーの斜視図である。
【図３】図１に示した携帯電子機器用飲料容器オープナーの環状体をベース板の面に対して傾斜させた状態を示す斜視図である。
【図４】図１に示した携帯電子機器用飲料容器オープナーをペットボトルオープナーとして使用している様子を示す図である。
【図５】図１に示した携帯電子機器用飲料容器オープナーが固定された携帯電話を胸ポケットにいれた様子を示す図である。
【図６】図１に示した携帯電子機器用飲料容器オープナーを携帯電話スタンドとして使用している様子を示す図である。
【図７】第２実施形態に係る携帯電子機器用飲料容器オープナーを模式的に示す平面図である。
【図８】第３実施形態に係る携帯電子機器用飲料容器オープナーを模式的に示す平面図である。
【図９】第４実施形態に係る携帯電子機器用飲料容器オープナーを模式的に示す平面図である。
【図１０】第５実施形態に係る携帯電子機器用飲料容器オープナーを模式的に示す平面図である。
【図１１】図１０に示した第５実施形態に係る携帯電子機器用飲料容器オープナーをペットボトルオープナーとして使用している様子を示す図である。
【図１２】第６実施形態に係る携帯電子機器用飲料容器オープナーを模式的に示す平面図である。
【図１３】第７実施形態に係る携帯電子機器用飲料容器オープナーを模式的に示す平面図である。
【図１４】第８実施形態に係る携帯電子機器用飲料容器オープナーを模式的に示す斜視図である。
【図１５】図１４に示した携帯電子機器用飲料容器オープナーの断面図である。
【発明を実施するための形態】
【００２６】
以下、本実施形態に係る携帯電子機器用飲料容器オープナーについて、図面を参照しつつ、以下説明する。
【００２７】
［第１実施形態］
図１は、第１実施形態に係る携帯電子機器用飲料容器オープナーを模式的に示す平面図である。図２は、図１に示した携帯電子機器用飲料容器オープナーの斜視図である。
【００２８】
図１、図２に示すように、携帯電子機器用飲料容器オープナー１０（以下、「携帯用オープナー１０」ともいう）は、ベース板１２と、ベース板１２に一体的に形成された３つの突起１４（１４ａ、１４ｂ、１４ｃ）と、ベース板１２に対して水平回動可能に結合された回転軸１７と、ヒンジ１８を介してベース板１２の面に対して傾斜自在に軸支された環状体２０とを備える。
【００２９】
以下では、携帯電子機器が携帯電話（例えば、スマートフォン）である場合について説明する。そして、携帯用オープナー１０を携帯電話ケースに貼り付けて使用する場合について説明する。すなわち、ベース板１２の裏面（突起１４が形成されていない側の面）に携帯電話ケースを貼り付けて使用する場合について説明する（図４参照）。なお、携帯電話ケースとは、携帯電話の操作部以外の部分を覆うように収容し、汚染の防止や落下時の衝撃を吸収すること等を目的とするものである。
【００３０】
上述のように、ベース板１２の裏面は、携帯電話ケースに貼り付けられる面である。ベース板１２の裏面には、携帯電話ケースに貼り付けるための粘着テープ（粘着パット）が設けられている（不図示）。ただし、ベース板は、この例に限定されず、裏面に粘着テープ（粘着パット）等が設けられていなくてもよい。この場合、別途に準備される粘着テープ（粘着パット）や接着剤等で携帯電話ケースに貼り付ければよい。ベース板１２の形状は特に制限されない。ただし、強度等の観点から、回転軸１７を挿通するための孔以外に貫通孔が設けられていないことが好ましい。
【００３１】
３つの突起１４（１４ａ、１４ｂ、１４ｃ）は、回転軸１７に対して同じ側（図１では回転軸１７よりも下側）に配置され、且つ、内側面１５（１５ａ、１５ｂ、１５ｃ）が同一円周上Ｃ１（図３参照）に位置するように、等間隔で配置されている。円周Ｃ１は、ペットボトル飲料の蓋の外径に対応する径を有する。なお、ペットボトル飲料の蓋の外径は、業界内で規格化されており、例えば、５００ｍｌ飲料水用ペットボトルの蓋の外径（外側の直径）は、３０ｍｍのものが一般的である。
３つの突起１４（１４ａ、１４ｂ、１４ｃ）は、突起１４ｃが回転軸１７に対向する位置に配置され、突起１４ａ及び突起１４ｂが、突起１４ｃと回転軸１７とを結ぶ線の左側（突起１４ａ）と右側（突起１４ｂ）とに左右対象に配置されるように、ベース板１２上に形成されている。
３つの突起１４（１４ａ、１４ｂ、１４ｃ）の内側面１５（１５ａ、１５ｂ、１５ｃ）には、小突起が設けられており、ペットボトル飲料の蓋を回転させる際に前記小突起と蓋に形成されている小突起との間に摩擦力を生じさせ、蓋を回転させる際の滑りを防止することができる。
突起１４ｃの外側面１６ｃは、波形（なみがた）形状を有しており、詳しくは後述するが、環状体２０の内周面３４に形成された波形（なみがた）形状と対応する形状となっており、突起１４ｃの外側面１６ｃと環状体２０の内周面３４とで波形（なみがた）の隙間２６が形成されている。なお、突起１４ｃは、強度が一定程度（ペットボトルオープナーとして使用した際に破損しない程度）となる肉厚を有することが好ましい。
突起１４ａの外側面１６ａ及び突起１４ｂの外側面１６ｂは、円周Ｃ１との同心円上にある。なお、外側面１６ａ及び外側面１６ｂの形状は、突起１４ａ及び突起１４ｂの強度が一定程度（ペットボトルオープナーとして使用した際に破損しない程度）であれば、特に限定されないが、強度、及び、射出成形にて製造する場合の製造容易性の観点から、本実施形態のように、円周Ｃ１との同心円上となる曲面であることが好ましい。
【００３２】
回転軸１７は、ベース板１２に形成された孔に挿通され、図示しないＣ字型リング等で抜けないようにベース板１２に固定されている。これにより、回転軸１７はベース板１２に対して水平回動が可能である。
【００３３】
環状体２０は、環状部２８と環状部２８の一端に設けられた２つの突出部３０とを有する。
【００３４】
環状体２０は、２つの突出部３０と回転軸１７とを水平方向に挿通するピン３２で回転軸１７に結合されている。これにより、環状体２０は、ベース板１２の面に対して傾斜自在に軸支されている。つまり、２つの突出部３０と回転軸１７とピン３２とによりヒンジ１８を形成している。
【００３５】
環状部２８は、突出部３０が連続的に接続されている半円弧状部２８ａと、半円弧状部２８ａの両端からそれぞれ下方に伸びる２つの縦直線部２８ｂと、２つの直線部２８ｂの端部同士を繋ぐ横直線部２８ｃとを有する。
【００３６】
突起１４ａ及び突起１４ｂは、環状体２０をベース板１２に対して水平な位置とした状態において（すわなち、図１、図２のような状態において）、環状体２０の外側に配置されている。突起１４ａ及び突起１４ｂを環状体２０の外側に配置しているため、環状体２０の大きさをなるべく小さくすることが可能となる。その結果、ベース板１２からの突出部分の面積をなるべく小さくすることが可能となる。
【００３７】
突起１４ｃは、環状体２０をベース板１２に対して水平な位置とした状態において（すわなち、図１、図２のような状態において）、環状体２０の内側に配置されている。
【００３８】
環状部２８の横直線部２８ｃの内周面３４は、波形（なみがた）形状を有している。突起１４ｃの外側面１６ｃにもこれに対応する波形（なみがた）形状が形成されているため、突起１４ｃの外側面１６ｃと横直線部２８ｃの内周面３４とで波形（なみがた）の隙間２６が形成されている。
【００３９】
携帯用オープナー１０の材質としては特に限定されないが、ベース板１２と突起１４とが樹脂（例えば、一体的に射出成形された樹脂）であり、それ以外の部材（回転軸１７、環状体２０等）が金属であることが好ましい。また、携帯用オープナー１０のすべての部材が樹脂で形成されていてもよい。また、携帯用オープナー１０のすべての部材が金属で形成されていてもよい。
【００４０】
以上、携帯用オープナー１０の各部の構成について説明した。
【００４１】
次に、携帯用オープナー１０の使用方法について説明する。
【００４２】
図４は、図１に示した携帯電子機器用飲料容器オープナーをペットボトルオープナーとして使用している様子を示す図である。
【００４３】
図４に示すように、携帯用オープナー１０は、携帯電話２００が収容されている携帯電話ケース２０２に貼り付けられている。携帯用オープナー１０をペットボトルオープナーとして使用する際には、まず、環状体２０をベース板１２の面から遠ざけるように傾斜させる。次に、ペットボトル２１０の蓋２１２を、３つの突起１４（１４ａ、１４ｂ、１４ｃ）に嵌め込む。そして、この状態で一方の手でペットボトル本体を握り、他方の手で携帯電話２００を握り、ペットボトル２１０に対して携帯電話２００を回転させる。これにより、てこの原理により大きな力を発生させて蓋２１２を容易に開けることが可能となる。
【００４４】
図５は、図１に示した携帯電子機器用飲料容器オープナーが固定された携帯電話を胸ポケットにいれた様子を示す図である。
【００４５】
携帯電話２００を胸ポケット２２０に入れて携帯する際には、まず、環状体２０をベース板１２の面から遠ざけるように傾斜させる。次に、この状態で胸ポケット２２０に携帯電話２００を入れる。この際、携帯用オープナー１０が貼り付けられている側の面を外側する。そして、この状態で、環状体２０をベース板１２に対して水平な位置に戻す。そうすると、突起１４ｃの外側面１６ｃと環状体２０の横直線部２８ｃの内周面３４とで、隙間２６部分に胸ポケット２２０の布が挟まれる。これにより、胸ポケット２２０から携帯電話２００が落下することを抑制することができる。このとき、隙間２６の形状が波形であるため、布との摩擦力を増大させることができる。その結果、布から外れて落下することをより好適に抑制することが可能となる。
図５では、携帯用オープナー１０の突起１４ａ及び突起１４ｂが胸ポケットの上端に触れるかそれよりも少し上となる位置に配置する場合を図示しているが、突起１４ａ及び突起１４ｂが胸ポケットの下側となる位置に配置されてもよい。この場合、突起１４ａの内側面１５ａ、及び、突起１４ｂの内側面１５ｂと、環状体２０の半円弧状部２８ａの内周面３４との間（隙間）に胸ポケット２２０の布を挟むことができる。
なお、携帯用オープナー１０には、突起１４ａ及び突起１４ｂが環状体２０の外側に配置されているため、仮に振動等により環状体２０が水平方向に回動しようとしても、突起１４ａ及び突起１４ｂに干渉することになる。その結果、隙間２６部分での挟み込みが甘くなることを抑制することができる。
【００４６】
図６は、図１に示した携帯電子機器用飲料容器オープナーを携帯電話スタンドとして使用している様子を示す図である。
【００４７】
図６に示すように、環状体２０を、回転軸１７を介してベース板１２に対して適宜回動させ、かつ、ヒンジ１８を介してベース板１２の面に対して適宜傾斜させることにより、携帯電話２００を好みの角度で支えるスタンドとして使用することが可能となる。
このとき、携帯用オープナー１０では、環状体２０の他端側の横直線部２８ｃが直線となっているため、載置面に横直線部２８ｃの辺全体が接触することになる。従って、携帯電話スタンドとして使用する際の安定性が向上する。
【００４８】
その他、図示しないが、環状体２０を、回転軸１７を介してベース板１２に対して適宜回動させ、かつ、ヒンジ１８を介してベース板１２の面に対して適宜傾斜させることにより、環状体２０内の環部分を好みの方向に向けることができる。従って、環状体２０を好みの位置に配置させた上で、環部分に指（例えば、人指し指や中指等）を通し、残りの指（例えば、親指と薬指）で携帯電話２００を両サイドから挟み込むように把持することができる。その結果、携帯電話２００の操作時に落下させてしまうことを防止できる。
【００４９】
以上、第１実施形態に係る携帯用オープナー１０について説明した。
【００５０】
［第２実施形態］
図７は、第２実施形態に係る携帯電子機器用飲料容器オープナーを模式的に示す平面図である。図７に示す携帯電子機器用飲料容器オープナー４０（以下、「携帯用オープナー４０」ともいう）は、環状体の形状が異なる点で第１実施形態の携帯用オープナー１０と異なり、他の点で共通する。そこで、以下では異なる点について主に説明し、共通する部分については説明を省略する。また、共通する部分については携帯用オープナー１０と同一の符号を付すこととする。
【００５１】
図７に示すように、携帯用オープナー４０は、ベース板１２と、ベース板１２に一体的に形成された３つの突起１４（１４ａ、１４ｂ、１４ｃ）と、ベース板１２に対して水平回動可能に結合された回転軸１７と、ヒンジ４８を介してベース板１２の面に対して傾斜自在に軸支された環状体５０とを備える。
【００５２】
環状体５０は、長手方向中央（図７では左右方向の中央）に非連続部分を有する上部直線部５０ａと、上部直線部５０ａの両端からそれぞれ下方に平行に伸びる２つの縦直線部５０ｂと、２つの直線部５０ｂの端部同士を繋ぐ横直線部５０ｃとを有する。すなわち、第２実施形態では環状体５０は、矩形環状を有する。
【００５３】
環状体５０は、上部直線部５０ａの前記非連続部分に回転軸１７がくるように配置され、その状態で、２つの上部直線部５０ａを水平方向に挿通するピン３２で回転軸１７に結合されている。これにより、環状体５０は、ベース板１２の面に対して傾斜自在に軸支されている。つまり、環状体５０の上部直線部５０ａと回転軸１７とピン３２とによりヒンジ４８を形成している。
【００５４】
第２実施形態に係る携帯用オープナー４０であっても、携帯用オープナー１０と同様に、ペットボトルオープナーとして使用することができる。また、携帯用オープナー１０と同様にして、携帯電話を胸ポケット等に入れて携帯する際の落下を抑制することができる。また、携帯用オープナー１０と同様にして、携帯電話スタンドとして使用することができる。
さらに、第２実施形態に係る携帯用オープナー４０の特有の効果として、突起１４ｃのみで水平方向の動きを抑制ができる。
【００５５】
以上、第２実施形態に係る携帯用オープナー４０について説明した。
【００５６】
［第３実施形態］
図８は、第３実施形態に係る携帯電子機器用飲料容器オープナーを模式的に示す平面図である。図８に示す携帯電子機器用飲料容器オープナー６０（以下、「携帯用オープナー６０」ともいう）は、突起の数及び配置箇所と、環状体の形状とが異なる点で第１実施形態の携帯用オープナー１０と異なり、他の点で共通する。そこで、以下では異なる点について主に説明し、共通する部分については説明を省略する。また、共通する部分については携帯用オープナー１０と同一の符号を付すこととする。
【００５７】
図８に示すように、携帯用オープナー６０は、ベース板１２と、ベース板１２に一体的に形成された４つの突起６４（６４ａ、６４ｂ、６４ｃ、６４ｄ）と、ベース板１２に対して水平回動可能に結合された回転軸１７と、ヒンジ６８を介してベース板１２の面に対して傾斜自在に軸支された環状体７０とを備える。
【００５８】
４つの突起６４（６４ａ、６４ｂ、６４ｃ、６４ｄ）は、回転軸１７に対して同じ側（図８では回転軸１７よりも下側）に配置され、且つ、内側面が同一円周上に位置するように、等間隔で配置されている。前記円周は、ペットボトル飲料の蓋の外径に対応する径を有する。
４つの突起６４（６４ａ、６４ｂ、６４ｃ、６４ｄ）の内側面６５（６５ａ、６５ｂ、６５ｃ、６５ｄ）は、環状体７０の外周面７１と対応する形状となっており、突起６４（６４ａ、６４ｂ、６４ｃ、６４ｄ）の内側面６５（６５ａ、６５ｂ、６５ｃ、６５ｄ）
と環状体７０の外周面７１とで隙間７６が形成されている。
４つの突起６４（６４ａ、６４ｂ、６４ｃ、６４ｄ）は、回転軸１７を通過する上下方向の直線に対して、左側（突起６４ａ、突起６４ｄ）と右側（突起６４ｂ、突起６４ｃ）とに左右対象に配置されるように、ベース板１２上に形成されている。４つの突起６４には、第１実施形態に係る突起１４と同様に内側面には、小突起が設けられていることが好ましい。また、４つの突起６４（６４ａ、６４ｂ、６４ｃ、６４ｄ）の外側面は、図８のように、前記円周との同心円上にあることが好ましい。
【００５９】
環状体７０は、環状部７８と環状部７８の一端に設けられた２つの突出部７９とを有する。
【００６０】
環状体７０は、２つの突出部７９と回転軸１７とを水平方向に挿通するピン３２で回転軸１７に結合されている。これにより、環状体７０は、ベース板１２の面に対して傾斜自在に軸支されている。つまり、２つの突出部７９と回転軸１７とピン３２とによりヒンジ６８を形成している。
【００６１】
環状部７８は、突出部７９が連続的に接続されている円弧状部７８ａと、円弧状部７８ａの下端部に設けられたコの字部７８ｂとを有する。円弧状部７８ａは、円周の５／６程度の長さを有しており、円弧状部７８ａの開放部分にコの字部７８ｂが接続されている。コの字部７８ｂは、上部が開放した矩形状である。
第３実施形態では、環状部７８がコの字部７８ｂを有するため、使用者は、環状体７０をベース板１２に対して傾斜させる際にコの字部７８ｂを掴んで容易に傾斜させることができる。
【００６２】
４つの突起６４（６４ａ、６４ｂ、６４ｃ、６４ｄ）は、環状体７０をベース板１２に対して水平な位置とした状態において（すわなち、図８のような状態において）、環状体７０の外側に配置されている。４つの突起６４（６４ａ、６４ｂ、６４ｃ、６４ｄ）を環状体７０の外側に配置しているため、環状体７０の大きさをなるべく小さくすることが可能となる。その結果、ベース板１２からの突出部分の面積をなるべく小さくすることが可能となる。特に、本実施形態では、全ての突起が環状体の外側に配置されているため、特に、ベース板からの突出部分の面積をなるべく小さくすることが可能となる。
【００６３】
第３実施形態に係る携帯用オープナー６０であっても、携帯用オープナー１０と同様に、ペットボトルオープナーとして使用することができる。また、携帯用オープナー１０と同様にして、携帯電話を胸ポケット等に入れて携帯する際の落下を抑制することができる。また、携帯用オープナー１０と同様にして、携帯電話スタンドとして使用することができる。また、携帯用オープナー１０と同様にして、環部分に指を通して、残りの指で携帯電話２００を両サイドから挟み込むように把持しすることができる。
さらに、第３実施形態に係る携帯用オープナー６０の特有の効果として、環状体７０の内径を小さくすることができ、指の細い子供などが好適に使用することが可能となる。
【００６４】
以上、第３実施形態に係る携帯用オープナー６０について説明した。
【００６５】
［第４実施形態］
図９は、第４実施形態に係る携帯電子機器用飲料容器オープナーを模式的に示す平面図である。図９に示す携帯電子機器用飲料容器オープナー８０（以下、「携帯用オープナー８０」ともいう）は、環状体の形状が異なる点で第１実施形態の携帯用オープナー１０と異なり、他の点で共通する。そこで、以下では異なる点について主に説明し、共通する部分については説明を省略する。また、共通する部分については携帯用オープナー１０と同一の符号を付すこととする。
【００６６】
図９に示すように、携帯用オープナー８０は、ベース板１２と、ベース板１２に一体的に形成された３つの突起１４（１４ａ、１４ｂ、１４ｃ）と、ベース板１２に対して水平回動可能に結合された回転軸１７と、ヒンジ８８を介してベース板１２の面に対して傾斜自在に軸支された環状体９０とを備える。
【００６７】
環状体９０は、長手方向中央（図９では左右方向の中央）に非連続部分を有する上部直線部９０ａと、上部直線部９０ａの両端からそれぞれ下方かつ広がる方向に１／４円弧状に伸びる２つの１／４円弧部９０ｂと、２つの１／４円弧部９０ｂの端部同士を繋ぐ横直線部９０ｃとを有する。
【００６８】
環状体９０は、上部直線部９０ａの前記非連続部分に回転軸１７がくるように配置され、その状態で、２つの上部直線部９０ａを水平方向に挿通するピン３２で回転軸１７に結合されているこれにより、環状体９０は、ベース板１２の面に対して傾斜自在に軸支されている。つまり、環状体９０の上部直線部９０ａと回転軸１７とピン３２とによりヒンジ８８を形成している。
【００６９】
突起１４ａの外側面１５ａと突起１４ｂの外側面１５ｂは、環状体９０の内周面９１と対応する形状となっている。そして、突起１４ａの外側面１５ａと環状体９０の内周面９１とで隙間９６が形成されている。また、突起１４ｂの外側面１５ｂと環状体９０の内周面９１とで隙間９６が形成されている。
第４実施形態に係る携帯用オープナー８０では、環状体９０をベース板１２に対して水平な位置とした状態において、２つの突起１４ａ、１４ｂが環状体９０の内側に配置されているため、当該突起（１４ａ、１４ｂ）が環状体９０の水平回動に干渉することになる。その結果、胸ポケット等に入れて携帯する際に、隙間９６部分での挟み込みが甘くなることを抑制することができる。
また、第４実施形態に係る携帯用オープナー８０では、環状体９０の形状は、突起１４ｃとの間で服等を挟み込むための隙間を形成するような配置となっていない。このように、環状体は、複数の突起のうち、２つの突起との間でのみ隙間を形成する形状、配置としてもよい。この場合、環状体は、少なくとも２つの突起との間でのみ隙間を形成すればよいので、環状体の大きさをなるべく小さくすることが可能となる。その結果、ベース板からの突出部分の面積をなるべく小さくすることが可能となる。
【００７０】
第４実施形態に係る携帯用オープナー８０であっても、携帯用オープナー１０と同様に、ペットボトルオープナーとして使用することができる。また、携帯用オープナー１０と同様にして、携帯電話を胸ポケット等に入れて携帯する際の落下を抑制することができる。また、携帯用オープナー１０と同様にして、携帯電話スタンドとして使用することができる。また、携帯用オープナー１０と同様にして、環部分に指を通して、残りの指で携帯電話２００を両サイドから挟み込むように把持しすることができる。
さらに、第４実施形態に係る携帯用オープナー８０の特有の効果として、ポケット等からの環状体９０の露出面積を少なくすることができる。
【００７１】
以上、第４実施形態に係る携帯用オープナー８０について説明した。
【００７２】
［第５実施形態］
図１０は、第５実施形態に係る携帯電子機器用飲料容器オープナーを模式的に示す平面図である。図１０に示す携帯電子機器用飲料容器オープナー１００（以下、「携帯用オープナー１００」ともいう）は、環状体の形状が異なる点で第１実施形態の携帯用オープナー１０と異なり、他の点で共通する。そこで、以下では異なる点について主に説明し、共通する部分については説明を省略する。また、共通する部分については携帯用オープナー１０と同一の符号を付すこととする。
【００７３】
図１０に示すように、携帯用オープナー１００は、ベース板１２と、ベース板１２に一体的に形成された３つの突起１４（１４ａ、１４ｂ、１４ｃ）と、ベース板１２に対して水平回動可能に結合された回転軸１７と、ヒンジ１０８を介してベース板１２の面に対して傾斜自在に軸支された環状体１１０とを備える。
【００７４】
環状体１００は、中央（図１０では左右方向の中央）に非連続部分を有する三日月状の上部曲線部１１０ａと、上部曲線部１１０ａの両端からそれぞれ下方に平行に伸びる２つの縦直線部１１０ｂと、２つの縦直線部１１０ｂの端部同士を繋ぐ三日月状の下部曲線部１１０ｃとを有する。
【００７５】
環状体１１０は、上部曲線部１１０ａの前記非連続部分に回転軸１７がくるように配置され、その状態で、２つの上部曲線部１１０ａを水平方向に挿通するピン３２で回転軸１７に結合されているこれにより、環状体１１０は、ベース板１２の面に対して傾斜自在に軸支されている。つまり、環状体１１０の上部曲線部１１０ａと回転軸１７とピン３２とによりヒンジ１０８を形成している。
【００７６】
第５実施形態に係る携帯用オープナー１００では、環状体１１０を前記ベース板に対して水平な位置とした状態において、突起１４（１４ａ、１４ｂ、１４ｃ）の全てが環状体１１０の内側に配置されている。
３つの突起１４（１４ａ、１４ｂ、１４ｃ）の外側面１６（１６ａ、１６ｂ、１６ｃ）は、環状体１１０の内周面１１２と対応する形状となっており、突起１４（１４ａ、１４ｂ、１４ｃ）の外側面１６（１６ａ、１６ｂ、１６ｃ）と環状体１１０の内周面１１２とで隙間１１６が形成されている。
【００７７】
第５実施形態に係る携帯用オープナー１００であっても、携帯用オープナー１０と同様に、ペットボトルオープナーとして使用することができる。また、携帯用オープナー１０と同様にして、携帯電話を胸ポケット等に入れて携帯する際の落下を抑制することができる。また、携帯用オープナー１０と同様にして、携帯電話スタンドとして使用することができる。また、携帯用オープナー１０と同様にして、環部分に指を通して、残りの指で携帯電話２００を両サイドから挟み込むように把持しすることができる。
図１１は、図１０に示した第５実施形態に係る携帯電子機器用飲料容器オープナーをペットボトルオープナーとして使用している様子を示す図である。
特に、第５実施形態に係る携帯用オープナー１００によれば、突起１４（１４ａ、１４ｂ、１４ｃ）の全てが環状体１１０の内側に配置されているため、図１１に示すように、環状体１１０を折り畳んだままの状態でオープナーとして使用することができる。
【００７８】
［第６実施形態］
図１２は、第６実施形態に係る携帯電子機器用飲料容器オープナーを模式的に示す平面図である。図１２に示す携帯電子機器用飲料容器オープナー１２０（以下、「携帯用オープナー１２０」ともいう）は、突起の数及び配置箇所が異なる点で第５実施形態の携帯用オープナー１００と異なり、他の点で共通する。そこで、以下では異なる点について主に説明し、共通する部分については説明を省略する。また、共通する部分については携帯用オープナー１００と同一の符号を付すこととする。
【００７９】
図１２に示すように、携帯用オープナー１２０は、ベース板１２と、ベース板１２に一体的に形成された２つの突起１２４（１２４ａ、１２４ｂ）と、ベース板１２に対して水平回動可能に結合された回転軸１７と、ヒンジ１０８を介してベース板１２の面に対して傾斜自在に軸支された環状体１１０とを備える。
【００８０】
２つの突起１２４（１２４ａ、１２４ｂ）は、回転軸１７に対して同じ側（図１２では回転軸１７よりも下側）に配置され、且つ、内側面が同一円周上に位置するように、等間隔で配置されている。前記円周は、ペットボトル飲料の蓋の外径に対応する径を有する。
２つの突起１２４（１２４ａ、１２４ｂ）の外側面１２６（１２６ａ、１２６ｂ）は、環状体１１０の内周面１１２と対応する形状となっており、突起１２４（１２４ａ、１２４ｂ）の外側面１２６（１２６ａ、１２６ｂ）と環状体１１０の内周面１１２とで隙間１３６が形成されている。
２つの突起１２４（１２４ａ、１２４ｂ）は、回転軸１７を通過する上下方向の直線に対して、１列に並ぶようにベース板１２上に形成されている。
【００８１】
第６実施形態に係る携帯用オープナー１２０であっても、携帯用オープナー１００と同様に、ペットボトルオープナーとして使用することができる。また、携帯用オープナー１０と同様にして、携帯電話を胸ポケット等に入れて携帯する際の落下を抑制することができる。また、携帯用オープナー１０と同様にして、携帯電話スタンドとして使用することができる。また、携帯用オープナー１０と同様にして、環部分に指を通して、残りの指で携帯電話２００を両サイドから挟み込むように把持しすることができる。
【００８２】
以上、第６実施形態に係る携帯用オープナー１２０について説明した。
【００８３】
［第７実施形態］
図１３は、第７実施形態に係る携帯電子機器用飲料容器オープナーを模式的に示す平面図である。図１３に示す携帯電子機器用飲料容器オープナー１４０（以下、「携帯用オープナー１４０」ともいう）は、環状体の形状が異なる点で第６実施形態の携帯用オープナー１２０と異なり、他の点で共通する。そこで、以下では異なる点について主に説明し、共通する部分については説明を省略する。また、共通する部分については携帯用オープナー１２０と同一の符号を付すこととする。
【００８４】
図１３に示すように、携帯用オープナー１４０は、ベース板１２と、ベース板１２に一体的に形成された２つの突起１２４（１２４ａ、１２４ｂ）と、ベース板１２に対して水平回動可能に結合された回転軸１７と、ヒンジ１４８を介してベース板１２の面に対して傾斜自在に軸支された環状体１５０とを備える。
【００８５】
環状体１５０は、上部中央に非連続部分を有する円環状の形態を有する。
【００８６】
２つの突起１２４（１２４ａ、１２４ｂ）の外側面１２６（１２６ａ、１２６ｂ）は、環状体１５０の内周面１５２と対応する形状となっており、突起１２４（１２４ａ、１２４ｂ）の外側面１２６（１２６ａ、１２６ｂ）と環状体１５０の内周面１５２とで隙間１５６が形成されている。
【００８７】
第７実施形態に係る携帯用オープナー１４０であっても、携帯用オープナー１００と同様に、ペットボトルオープナーとして使用することができる。また、携帯用オープナー１０と同様にして、携帯電話を胸ポケット等に入れて携帯する際の落下を抑制することができる。また、携帯用オープナー１０と同様にして、携帯電話スタンドとして使用することができる。また、携帯用オープナー１０と同様にして、環部分に指を通して、残りの指で携帯電話２００を両サイドから挟み込むように把持しすることができる。
【００８８】
以上、第７実施形態に係る携帯用オープナー１４０について説明した。
【００８９】
［第８実施形態］
図１４は、第８実施形態に係る携帯電子機器用飲料容器オープナーを模式的に示す斜視図である。図１５は、図１４に示した携帯電子機器用飲料容器オープナーの断面図である。図１４に示す携帯電子機器用飲料容器オープナー１６０（以下、「携帯用オープナー１６０」ともいう）は、突起の外側面と環状体の内周面とで形成される隙間が異なる点、及び、環状体の形状が異なる点で第１実施形態の携帯用オープナー１０と異なり、他の点で共通する。そこで、以下では異なる点について主に説明し、共通する部分については説明を省略する。また、共通する部分については携帯用オープナー１０と同一の符号を付すこととする。
【００９０】
図１４、図１５に示すように、携帯用オープナー１６０は、ベース板１２と、ベース板１２に一体的に形成された３つの突起１６４（１６４ａ、１６４ｂ、１６４ｃ）と、ベース板１２に対して水平回動可能に結合された回転軸１７と、ヒンジ１６８を介してベース板１２の面に対して傾斜自在に軸支された環状体１７０とを備える。
【００９１】
環状体１７０は、環状部１７８と環状部１７８の一端に設けられた２つの突出部１８０とを有する。
【００９２】
環状体１７０は、２つの突出部１８０と回転軸１７とを水平方向に挿通するピン３２（図示せず）で回転軸１７に結合されている。これにより、環状体１７０は、ベース板１２の面に対して傾斜自在に軸支されている。つまり、２つの突出部１８０と回転軸１７とピン３２とによりヒンジ１６８を形成している。
【００９３】
環状部１７８は、突出部１８０が連続的に接続されている半円弧状部１７８ａと、半円弧状部１７８ａの両端からそれぞれ下方（図１４では右下方向）に伸びる２つの縦直線部１７８ｂと、２つの直線部１７８ｂの端部同士を繋ぐ横直線部１７８ｃとを有する。
【００９４】
縦直線部１７８ｂは、環状体１７０をベース板１２に対して水平な位置とした状態においても、下面に空間１７８ｄが形成されるように下面側の一部が肉薄に形成されている。空間１７８ｄには、例えば、携帯電話に接続して使用する可能性のあるイヤホンコード等を、不使用時又は使用時に束ねて固定しておくことができる。
【００９５】
突起１６４ｃは、図１５に示すように、ベース板１２から上側に連続的に形成された立ち上がり部１６５と、立ち上がり部１６５の上部から水平かつ外側方向に伸びる横突出部１６６とを有する。
【００９６】
横直線部１７８ｃは、環状体１７０をベース板１２に対して水平な位置とした状態において、平面視で、上部に横突出部１６６が重なる位置に配置されている。そして、立ち上がり部１６５の外側面と、横突出部１６６の内周面との間には、一定の隙間１８４が形成されている。横突出部１６６の外側面１６６ａと、横直線部１７８ｃの内周面１７９とには、アールが形成されている。環状体１７０をベース板１２に対して傾斜させる際には、指等で環状体１７０を持ち上げると、横突出部１６６の外側面１６６ａのアールと横直線部１７８ｃの内周面１７９のアールとが互いに滑り、立ち上がり部１６５が内側方向に傾き、これにより、係止を外すことができる。一方、傾斜状態の環状体１７０をベース板１２に対して水平にさせる際には、指等で環状体１７０をベース板１２に対して押し付けると、横突出部１６６の外側面１６６ａのアールと横直線部１７８ｃの内周面１７９のアールとが互いに滑り、立ち上がり部１６５が内側方向に傾き、これにより、横突出部１６６の下部に横直線部１７８ｃが配置され、係止されることになる。
以上により、立ち上がり部１６５の外側面と横突出部１６６の内周面との隙間１８４部分に胸ポケット２２０（図５参照）の布を挟むことができる。これにより、胸ポケット２２０から携帯電話２００が落下することを抑制することができるこのとき、横突出部１６６の下部に横直線部１７８ｃが配置され、係止されることになるため、胸ポケット２２０から携帯電話２００が落下することをより確実に抑制することができる。
このように、本発明における「一定の隙間」は、環状体をベース板に対して水平な位置とした状態において、突起の立ち上がり部の外側面と、環状体の一部（例えば、横突出部）の内周面との間部分であってもよい。
【００９７】
第８実施形態に係る携帯用オープナー１６０であっても、携帯用オープナー１０と同様に、ペットボトルオープナーとして使用することができる。また、携帯用オープナー１０と同様にして、携帯電話を胸ポケット等に入れて携帯する際の落下を抑制することができる。また、携帯用オープナー１０と同様にして、携帯電話スタンドとして使用することができる。
【００９８】
以上、第８実施形態に係る携帯用オープナー１６０について説明した。
【００９９】
本発明における環状体の形状は、上述の実施形態に限定されず、本発明の趣旨に反しない限り、特に制限されない。すなわち、第１実施形態のように半円弧部（半円弧状部２８ａ）と直線部（縦直線部２８ｂ、横直線部２８ｃ）とからなる環状であってもよく、第２実施形態のような矩形環状であってもよく、円環状であってもよく、楕円環状であってもよく、本発明の趣旨に反しない限り、特に制限されない。
【０１００】
本発明における突起の数は、上述の実施形態に限定されず、複数（２以上）であれば、特に制限されない。ただし、第１実施形態等のように、胸ボケット等への固定等の観点からは、３以上であることが好ましい。
【０１０１】
上述の実施形態では、ベース板に対して水平回動可能に結合された回転軸を有する場合について説明した。しかしながら、本発明における携帯電子機器用飲料容器オープナーは、ベース板に対して水平回動はしない構成であってもよい。例えば、ベース板に設けられた回転不可能な軸（例えば、ベース板に一体的に形成された軸）にヒンジを介して環状体が結合された構成であってもよい。
【０１０２】
上述の実施形態では、携帯電子機器が携帯電話（例えば、スマートフォン）である場合について説明したが、本明細書における携帯電子機器は、携帯型の電子機器であれば、携帯電話に限定されず、例えば、タブレットＰＣ、ＰＤＡ（Ｐｅｒｓｏｎａｌ  Ｄｉｇｉｔａｌ  Ａｓｓｉｓｔａｎｔ）等が挙げられる。
【０１０３】
上述の実施形態では、携帯用オープナーを携帯電話ケース（携帯電子機器用ケース）に貼り付けて使用する場合について説明したが、本発明の携帯用オープナーはこの例に限定されず、携帯電子機器に直接貼り付けて使用することとしてもよい。
また、上述の実施形態では、ベース板の裏面に携帯電話ケースを貼り付ける場合について説明したが、本発明はこの例に限定されず、ベース板が携帯電子機器用ケースの裏面に一体的に形成されていてもよい。この場合、携帯電子機器用ケースの裏板がベース板であってもよい。すなわち、本発明においては、ベース板を携帯電話（携帯電子機器）に固定できれば、その態様は特に限定されない。
【０１０４】
上述した携帯用オープナーは、本発明の一実施形態であり、本発明に係る携帯用オープナーの構成は、本発明の構成を充足する範囲内において、この例に限定されない。
【０１０５】
以上、本発明の実施形態について説明したが、本発明は、上述した例に限定されるものではなく、本発明の構成を充足する範囲内で、適宜設計変更を行うことが可能である。
【符号の説明】
【０１０６】
１０、４０、６０、８０、１００、１２０、１４０、１６０  携帯電子機器用飲料容器オープナー（携帯用オープナー）
１２  ベース板
１４（１４ａ、１４ｂ、１４ｃ）、６４（６４ａ、６４ｂ、６４ｃ、６４ｄ）、１２４（１２４ａ、１２４ｂ）、１６４（１６４ａ、１６４ｂ、１６４ｃ）  突起
１５（１５ａ、１５ｂ、１５ｃ）、６５（６５ａ、６５ｂ、６５ｃ、６５ｄ）  （突起の）内側面
１６（１６ａ、１６ｂ、１６ｃ）、１２６（１２６ａ、１２６ｂ）  （突起の）外側面
１７  回転軸
１８、４８、６８、８８、１０８、１４８、１６８  ヒンジ
２０、５０、７０、９０、１１０、１５０１、１７０  環状体
２６、７６、９６、１１６、１３６、１５６、１８４  隙間
３４、１５２  （環状体の）内周面
７１  （環状体の）外周面
２００  携帯電話
２０２  携帯電話ケース
２１０  ペットボトル
２１２  蓋
２２０  胸ポケット
【図１】
2019116297.tif 000003
【図２】
2019116297.tif 000004
【図３】
2019116297.tif 000005
【図４】
2019116297.tif 000006
【図５】
2019116297.tif 000007
【図６】
2019116297.tif 000008
【図７】
2019116297.tif 000009
【図８】
2019116297.tif 000010
【図９】
2019116297.tif 000011
【図１０】
2019116297.tif 000012
【図１１】
2019116297.tif 000013
【図１２】
2019116297.tif 000014
【図１３】
2019116297.tif 000015
【図１４】
2019116297.tif 000016
【図１５】
2019116297.tif 000017
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
携帯電子機器に対して固定するためのベース板と、
前記ベース板に一体的に形成された複数の突起と、
ヒンジを介して、前記ベース板の面に対して傾斜自在に軸支された環状体とを備え、
前記複数の突起は、内側面が同一円周上にあり、
前記複数の突起の内周面には、飲料容器の蓋を回転させる際に、前記蓋との間に摩擦力を生じさせる小突起が設けられており、
前記環状体を前記ベース板に対して水平な位置とした状態において、前記複数の突起のうちの少なくとも１つの突起の内側面又は外側面と、前記環状体の内周面又は外周面とが、一定の隙間を形成するように配置されていることを特徴とする携帯電子機器用飲料容器オープナー。
【請求項２】
前記隙間の形状が平面視で波形あることを特徴とする請求項１に記載の携帯電子機器用飲料容器オープナー。
【請求項３】
前記環状体を前記ベース板に対して水平な位置とした状態において、前記複数の突起のうちの少なくとも１つの突起が前記環状体の外側に配置されていることを特徴とする請求項１又は２に記載の携帯電子機器用飲料容器オープナー。
【請求項４】
前記ヒンジは、前記ベース板に水平回動可能に設けられた回転軸に結合されていることを特徴とする請求項１〜３のいずれか１に記載の携帯電子機器用飲料容器オープナー。
【請求項５】
前記環状体を前記ベース板に対して水平な位置とした状態において、前記複数の突起のうちの少なくとも２つの突起が前記環状体の外側に配置されていることを特徴とする請求項４に記載の携帯電子機器用飲料容器オープナー。
【請求項６】
前記環状体を前記ベース板に対して水平な位置とした状態において、前記複数の突起の全てが前記環状体の内側に配置されていることを特徴とする請求項１、２、又は、４に記載の携帯電子機器用飲料容器オープナー。
【請求項７】
前記環状体を前記ベース板に対して水平な位置とした状態において、前記複数の突起の全てが前記環状体の外側に配置されていることを特徴とする請求項１〜５のいずれか１に記載の携帯電子機器用飲料容器オープナー。
【請求項８】
前記複数の突起のうちの少なくとも１つの突起は、前記ベース板から上側に連続的に形成された立ち上がり部と、前記立ち上がり部の上部から水平かつ外側方向に伸びる横突出部とを有しており、
前記環状体を前記ベース板に対して水平な位置とした状態において、前記環状体の一部が、平面視で、上部に前記横突出部が重なる位置に配置されており、
前記一定の隙間は、前記環状体を前記ベース板に対して水平な位置とした状態において、前記突起の前記の立ち上がり部の外側面と前記環状体の一部の内周面との間部分であることを特徴とする請求項１、３〜６のいずれか１に記載の携帯電子機器用飲料容器オープナー。